(57)【要約】【課題】会議に途中参加するデバイス及び途中退席するデバイスの選択を容易にすることができるデバイス検出装置を提供する。【解決手段】サーバＫ１０４のＣＰＵ２０１が、デバイスリストに基づいて、サーバＫ１０４への接続が許可されている端末と接続が許可されていない端末とを判別し、さらに、サーバＫ１０４のＣＰＵ２０１で検出された端末であって、デバイスリストに予め登録されていない端末を判別し、この判別結果に基づいて、表示部２０６がサーバＫ１０４への接続が許可されている端末と、サーバＫ１０４への接続が許可されていない端末と、サーバＫ１０４への接続が許可および不許可ともに設定されていない端末とをそれぞれ区別して表示する。【選択図】      図１０
2004297519.tif 000002
【特許請求の範囲】
【請求項１】
無線デバイスと無線信号を介して接続するデバイス検出装置において、
前記デバイス検出装置の周辺に点在する前記無線デバイスを検出する検出手段と、
前記検出手段により検出された無線デバイスに関するデバイス情報を取得するデバイス情報取得手段と、
前記デバイス情報取得手段により取得されたデバイス情報と共に、該デバイス情報を有する無線デバイスが前記デバイス検出装置への接続が許可されているか否か示すリスト情報を保存する保存手段と、
前記リスト情報に基づいて、前記デバイス検出装置への接続が許可されている無線デバイスと前記デバイス検出装置への接続が許可されていない無線デバイスとを判別し、さらに、前記検出手段で検出された無線デバイスであって、前記リスト情報に予め登録されていない無線デバイスを前記デバイス検出装置への接続が許可および不許可ともに設定されていない無線デバイスであると判別する判別手段と、
前記判別手段による判別結果に基づいて、前記デバイス検出装置への接続が許可されている無線デバイスと、前記デバイス検出装置への接続が許可されていない無線デバイスと、前記デバイス検出装置への接続が許可および不許可ともに設定されていない無線デバイスとをそれぞれ区別して表示する表示手段と
を備えることを特徴とするデバイス検出装置。
【発明の詳細な説明】
【０００１】
【発明の属する技術分野】
本発明は、無線ネットワークを介して複数の端末と接続するデバイス検出装置に関し、特に、接続を許可する端末と許可しない端末を区別して表示するデバイス検出装置に関する。
【０００２】
【従来の技術】
ある無線端末が他の無線端末へ接続する際には、まず周辺デバイスの検索を行う。これは、自端末から通信できる範囲にどのような端末があるかを把握し、続いて目的の端末が存在するか否かを確認し、周辺デバイスの検索結果から目的の端末を選択することで、目的の端末のアドレスを入力する手間を省いて接続が可能になるからである。
【０００３】
しかし、多数の周辺デバイスが検出された場合には、目的の端末を判断することは煩雑な作業となる。
【０００４】
このような問題を解決するために、接続を予定している他端末のデバイスアドレス及びサービス内容等を規定する属性情報を自端末内に格納する方法（以下、この方法を「登録」という）を活用し、目的の端末を判断する方法が知られている。そして、この登録作業を容易にするため、新規登録端末情報を既存登録端末に転送し、また、新規登録端末に既存登録情報を転送している。
【０００５】
しかしながら、会議等で毎回参加者が異なる場合、参加者各自が毎回登録作業をおこなわなくてはならず、煩雑な作業が必要となる。また、不正な参加者に対しても登録を許してしまうおそれがあり、不正な参加を防ぐことができない。
【０００６】
そこで、会議への不正な参加を防ぐために、会議システムにおける参加認証方法が開示されている（例えば、特許文献１参照）。
【０００７】
この参加認証方法では、会議のチェアマンが操作する端末に、参加者が使用する端末を会議システムのネットワークに参加させるか否かを判断する権限を与えている。参加希望者は会議システムのサーバに対して参加者の個人情報を送信する。チェアマンの端末は参加要求を受けた端末の使用者の個人情報を会議システムのサーバより入手し、個人情報として顔写真と名前を表示する。チェアマンはこの個人情報を見て参加許可の判断を行い、参加許可の端末に対してはチェアマンの端末における画面上の参加者アイコンを選択することにより参加許可とする。このように参加認証をチェアマンが一括して行うことで会議システムのネットワークへの不正な参加を防いでいる。
【０００８】
【特許文献１】
特開２００１−３３３４０３号公報
【０００９】
【発明が解決しようとする課題】
しかしながら、上記従来の参加認証方法は、無線接続後に端末登録及び参加認証をするものであって、無線接続前の段階において、周辺デバイスが多数ある中から、目的のデバイスを選択するには依然として煩雑であった。
【００１０】
例えば、会議開始後に途中から参加するデバイスと、会議に参加しない周辺デバイスとを区別するのはむずかしいという問題があった。
【００１１】
本発明は、上記の課題を解消するためになされたものであり、会議に途中参加するデバイス及び途中退席するデバイスの選択を容易にすることができるデバイス検出装置を提供することを目的とする。
【００１２】
【課題を解決するための手段】
上記目的を達成するために、請求項１記載のデバイス検出装置は、無線デバイスと無線信号を介して接続するデバイス検出装置において、前記デバイス検出装置の周辺に点在する前記無線デバイスを検出する検出手段と、前記検出手段により検出された無線デバイスに関するデバイス情報を取得するデバイス情報取得手段と、前記デバイス情報取得手段により取得されたデバイス情報と共に、該デバイス情報を有する無線デバイスが前記デバイス検出装置への接続が許可されているか否か示すリスト情報を保存する保存手段と、前記リスト情報に基づいて、前記デバイス検出装置への接続が許可されている無線デバイスと前記デバイス検出装置への接続が許可されていない無線デバイスとを判別し、さらに、前記検出手段で検出された無線デバイスであって、前記リスト情報に予め登録されていない無線デバイスを前記デバイス検出装置への接続が許可および不許可ともに設定されていない無線デバイスであると判別する判別手段と、前記判別手段による判別結果に基づいて、前記デバイス検出装置への接続が許可されている無線デバイスと、前記デバイス検出装置への接続が許可されていない無線デバイスと、前記デバイス検出装置への接続が許可および不許可ともに設定されていない無線デバイスとをそれぞれ区別して表示する表示手段とを備えることを特徴とする。
【００１３】
【発明の実施の形態】
以下、本発明の実施の形態について図面を参照して説明する。
【００１４】
図１は、本発明の実施の形態に係るデバイス検出装置を備えるシステムの概略構成図である。
【００１５】
本発明の実施の形態において、デバイス検出装置はサーバに適用される。
【００１６】
同図において、符号１０１，１０２は、それぞれ隣接する会議室を示す。この両会議室の間は至近距離のため、部屋内に存在する無線デバイス間にて無線通信ができる環境とする。会議室１０３は、会議室１０１及び会議室１０２からは離れているため、電波による通信はできない環境とする。
【００１７】
会議室１０１内にあるサーバＫ１０４は会議システムを制御する機能を有し、会議参加者端末の会議システムへの接続許可等を行う。また、場合によりサーバＫ１０４の画面をプロジェクタ等に表示して共有ディスプレーとして使用する。本サーバは主に会議管理者が操作する。
【００１８】
端末Ａ１０５〜端末Ｃ１０７は、会議室１０１の会議に参加する参加者が使用する端末であり、情報携帯端末（ＰＤＡ）等の参加者が持参する端末を想定しているが、会議室設置端末でもよい。
【００１９】
サーバＬ１０８は、会議室１０２において開かれる会議に参加している会議管理者が使用する機器であり、端末Ｄ１０９〜端末Ｆ１１１は、会議室１０２において開かれる会議に参加している参加者が使用する機器である。会議室１０１と会議室１０２は、隣接しているため、双方の会議室にあるデバイス（端末）が無線による周辺検索にて検出される。即ち、サーバＫ１０４が無線によるデバイスの周辺検索を実行すると、端末Ａ１０５〜端末Ｃ１０７及び端末Ｄ１０９〜端末Ｆ１１１が検出される。
【００２０】
同図において、会議室１０３には、サーバＭ１１２、端末Ｇ１１３及び端末Ｈ１１４があるが、ここでは会議を行っておらず、無線によるサーバと端末間の通信は行っていない。
【００２１】
図２は、図１におけるサーバＫ１０４のハードウェア構成を概略的に示す図である。
【００２２】
同図に示すように、サーバＫ１０４は、サーバ本体を制御する中央演算装置ＣＰＵ２０１（検出手段、判別手段、デバイス情報取得手段）と、ＣＰＵ２０１の各種制御プログラム及び固定データを格納するためのＲＯＭ２０２と、各種プログラムを実行するにあたり必要なデータを一時保存するためのＲＡＭ２０３と、主にアプリケーションプログラム及び会議資料を保存するファイルサーバ２０４と、会議にて発表する資料等を入出力するためのＰＣカードスロット２０５と、サーバにて制御する情報を表示するディスプレーであり、液晶パネルにて構成される表示部２０６（表示手段）と、キーボード及びタッチパネルであり、サーバへの入力操作を行う入力部２０７と、サーバに接続されたプリンタであり、会議資料等の印刷に使用する印刷部２０８と、サーバ周辺のデバイスの探索結果を保存するデバイスリスト情報格納用メモリ２０９（保存手段、デバイス情報取得手段）と、Ｂｌｕｅｔｏｏｔｈモジュール等の近距離無線通信モジュールで構成される無線部２１０（検出手段、デバイス情報取得手段）と、無線部２１０用のアンテナ２１１とを備えている。
【００２３】
ＲＯＭ２０２、ＲＡＭ２０３、ファイルサーバ２０４、ＰＣカードスロット２０５、表示部２０６、入力部２０７、印刷部２０８、デバイスリスト情報格納用メモリ２０９及び無線部２１０は、それぞれバスを介してＣＰＵ２０１に接続されている。
【００２４】
ファイルサーバ２０４はハードディスク等から構成されており、ＰＣカードスロット２０５は、会議資料をフラッシュメモリカードからサーバ本体に取り込む際に使用される。表示部２０６が液晶プロジェクタ等で構成される場合には、表示部２０６は参加者全員が共有する画面として使用することもできる。
【００２５】
図１におけるサーバＬ１０８及びサーバＭ１１２のハードウェア構成は、サーバＫ１０４のハードウェア構成と同様なので、その説明は省略する。
【００２６】
図３は、図１における端末Ａ１０５のハードウェア構成を概略的に示す図である。
【００２７】
同図に示すように、端末Ａ１０５は、端末本体を制御する中央演算装置ＣＰＵ３０１と、ＣＰＵ３０１の各種制御プログラムおよび固定データを格納するためのＲＯＭ３０２と、各種プログラムを実行するにあたり必要なデータを一時保存するためのＲＡＭ３０３と、液晶パネル３０４と、ボタン及び液晶パネル３０４に付加したタッチパネルである入力部３０５と、コンパクトフラッシュ（登録商標）（ＣＦ）カードスロット３０６と、Ｂｌｕｅｔｏｏｔｈモジュール等の近距離無線通信モジュールで構成される無線部３０７と、無線部３０７用のアンテナ３０８とを備えている。
【００２８】
ＲＯＭ３０２、ＲＡＭ３０３、表示部３０４、入力部３０５、ＣＦカードスロット３０６及び無線部３０７は、それぞれバスを介してＣＰＵ３０１に接続されている。
【００２９】
ＣＦカードに保存した会議資料等は、ＣＦカードスロット３０６を介して表示部３０４に送られるので、参加者は表示部３０４で会議資料等を表示し、閲覧することができる。
【００３０】
図１における端末Ｂ１０６、端末Ｃ１０７、端末Ｄ１０９、端末Ｅ１１０、端末Ｆ１１１、端末Ｇ１１３及び端末Ｈ１１４のハードウェア構成は、端末Ａ１０５のハードウェア構成と同様なので、その説明は省略する。
【００３１】
図４〜図７は、サーバＫ１０４の表示部２０６に表示されるデバイス探索結果の表示画面の一例を示す図であり、図８は、会議開始時に新規デバイスをサーバＫ１０４に接続する際のサーバＫ１０４における処理手順を示すフローチャートである。以下、会議室１０１における会議開始動作を中心に説明する。
【００３２】
図８において、まず、会議室１０１にて会議開始時に、会議管理者による入力部２０７からの入力指示を受けて、ＣＰＵ２０１は周辺デバイス探索を実行する（ステップＳ８０１）。このとき実行するデバイス探索プログラムはＲＯＭ２０２にサーバＫ１０４の実行する機能の一つとして格納されていたプログラムであり、ＣＰＵ２０１が実行処理を行う。具体的には、ＣＰＵ２０１が無線部２１０に対してＩｎｑｕｉｒｙ命令を発行する。すると、無線部２０１はアンテナ２１１を経由して周辺デバイスへの問い合わせを行う。
【００３３】
サーバＫ１０４は、周辺デバイスとして端末Ａ１０５〜Ｃ１０７，端末Ｄ１０９〜Ｆ１１１及びサーバＬ１０８から応答を受信する。この応答の中には各デバイスの種類及びアドレスが含まれ、この情報はサーバＫ１０４のＣＰＵ２０１が受信し、デバイスリスト情報格納用メモリ２０９に格納する。
【００３４】
次に、ＣＰＵ２０１は各アドレスのデバイス名称を入手するため、各デバイスに対してＲｅｍｏｔｅ  Ｎａｍｅ  Ｒｅｑｕｅｓｔ命令を無線部２１０に対して発行する。無線部２１０は各デバイスからのデバイス名を応答として受信する（ステップＳ８０２）。つまり、ステップＳ８０２の処理ではデバイスリストを取得する。受信したデバイス名は、ＣＰＵ２０１がデバイス情報格納用メモリ２０９にアドレスと対応づけて保存する。デバイスリスト情報格納用メモリ２０９に保存したデータは、デバイス探索プログラムにより表示部２０６に表示される（ステップＳ８０３）。この表示結果を図４に示す。
【００３５】
図４において、今回は初回の新規デバイス探索であることから、新規タブには７デバイスが表示され、図示していないが、許可タブと不許可タブ内には、デバイスがまだリスト表示されていない。ここで、会議管理者は、自会議に参加するデバイスに対してサーバＫ１０４への接続を許可とするため、アドレス及び名称から当該デバイスを判断し、端末Ａ、端末Ｂ及び端末Ｃを選択し、許可ボタンを押下する（ステップＳ８０４）。これにより、上記３つのデバイスはサーバＫ１０４への接続を許可され、許可タブ内に移動する。この様子を示したのが図５である。
【００３６】
図５において、会議管理者は３つのデバイスを選択し、接続ボタンを押下する（ステップＳ８０５）。すると、ＣＰＵ２０１はＲＯＭ２０２に格納されているデバイス接続プログラムを実行する。具体的な動作は次の通りである。
【００３７】
ＣＰＵ２０１は、無線部２１０に対して先ず端末Ａ１０５向けのＣｒｅａｔｅ  Ｃｏｎｎｅｃｔｉｏｎ命令を発行する。無線部２１０は、前記命令を受けて、アドレス１１：２２：３３：４４：０１に対してＰａｇｅ命令を発行し、該Ｐａｇｅ命令を信号に変調した後、この信号をアンテナ２１１を経由して空間に送信する。
【００３８】
端末１０５では、電波を定期的にモニタしており、モニタ中にアンテナ３０８にて受信した信号が無線部３０７にて復調され、受信した信号に含まれるアドレスと該端末１０５のアドレスとが一致すると、ＣＰＵ３０１に対して接続要求を通知する。ＣＰＵ３０１は、この通知された接続要求を判断し、接続許諾を無線部３０１に通知する。無線部３０１は接続要求許諾通知をサーバＫ１０４に対して発行し、この通知を信号に変調した後に、変調後の信号をアンテナ３０８を経由して空間に送信する。
【００３９】
サーバＫ１０４の無線部２１０は、アンテナ２１１を経由して端末１０５から受信した信号を復調し、接続要求許諾通知を受信すると、接続完了をＣＰＵ２０１に通知する。ＣＰＵ２０１は端末Ｂ１０６及び端末Ｃ１０７に対しても同様の手順で接続動作を行い、端末１０５〜１０７に対する接続動作は終了する。
【００４０】
端末１０５〜１０７がサーバＫ１０４へ接続された後、図４の新規タブ上に残った端末を選択し、不許可ボタンを押下すると、残りの端末は不許可タブ内に移動する（ステップＳ８０６）。ＣＰＵ２０１は残りの端末を不許可端末としてデバイス情報格納用メモリ２０９に格納し（ステップＳ８０７）、本処理を終了する。以上が周辺デバイスの初回登録の手続きである。
【００４１】
図９及び図１０は、会議開始後に追加デバイスをサーバＫ１０４に接続する際のサーバＫ１０４における処理手順を示すフローチャートである。特に、図１０はデバイスリストの更新表示処理を示す。
【００４２】
ここでは、会議室１０１の会議開始後、会議室１０２の会議に参加していた端末Ｆ１１１が部屋を移動して会議室１０１の会議に参加する場合の例を説明する。隣接会議室内のデバイス、例えば端末Ｆ１１１はデバイス検出されているが、当初はサーバＫ１０４が接続を許可していないため、デバイス情報格納用メモリ２０９の不許可リストに保存されている。
【００４３】
会議室１０１の会議管理者は、会議中に端末Ｆ１１１の所持者が会議室１０１に移動してきた場合には、周辺デバイスの探索（ステップＳ９０１）及びデバイスリストの取得（ステップＳ９０２）の処理を行う。これらの処理は、それぞれステップＳ８０１、ステップＳ８０２の処理と同一であるので、その説明は省略する。
【００４４】
デバイスリストの更新表示処理（ステップＳ９０３）の詳細については、図１０を参照しながら以下説明する。
【００４５】
サーバＫ１０４のＣＰＵ２０１は、ＲＯＭ２０２に格納されたデバイスリスト表示プログラムにより、新たにデバイスリストを取得すると（ステップＳ１００１）、前回取得しデバイスリスト情報２０９に格納された旧デバイスリストの圏内設定項目をクリアするため、当該圏内設定項目をｎｏに書き換える（ステップＳ１００２）。
【００４６】
次いで、新デバイスリスト内の各デバイスが旧接続許可リストに含まれるか否かを判別する（ステップＳ１００３）。
【００４７】
この判別の結果、新デバイスリスト内の各デバイスが旧接続許可リストに含まれる場合には、当該デバイスの圏内設定をｙｅｓとし（ステップＳ１００４）、旧接続許可リストを新接続許可リストとして更新し、表示部２０６に表示して（ステップＳ１００５）、本処理を終了する。
【００４８】
ステップＳ１００３の判別の結果、新デバイスリスト内の各デバイスが旧接続許可リストに含まれない場合には、旧不許可リストに含まれるか否かを判別する（ステップＳ１００６）。
【００４９】
ステップＳ１００６の判別の結果、新デバイスリスト内の各デバイスが旧不許可リストに含まれる場合には、旧不許可リスト中の当該デバイスの圏内設定をｙｅｓとし（ステップＳ１００７）、旧接続不許可リストを新接続不許可リストとして更新し、表示部２０６に表示し（ステップＳ１００８）、本処理を終了する。
【００５０】
ステップＳ１００６の判別の結果、新デバイスリスト内の各デバイスが旧不許可リストに含まれない場合には、新デバイスリスト内の各デバイスを新規デバイスリストとして表示部２０６に表示し（ステップＳ１００９）、本処理を終了する。
【００５１】
図６は更新された不許可リストを示す。ここで示されている内容は、端末Ｅ１１０の所持者が会議室１０２を退室して、付近にいないことを示している。
【００５２】
会議室１０１に入室した端末Ｆ１１１の所持者はまだサーバＫ１０４に対する接続の許可を得ていないため、本リストに表示されている。そこで、端末Ｆ１１１を選択し、接続ボタンを押下する（ステップＳ９０４）。これにより、サーバＫ１０４から端末Ｆ１１１に対し接続処理が実行される。具体的には、サーバＫ１０４におけるＣＰＵ２０１は、アドレス１１：２２：３３：４４：０６宛のＣｒｅａｔｅ  Ｃｏｎｎｅｃｔｉｏｎ命令を無線部２１０に対して発行する。無線部２１０は前記命令を受けて、アドレス１１：２２：３３：４４：０６に対してＰａｇｅ命令を発行し、該命令の変調後に、該変調された命令をアンテナ２１１を経由して空間に送信する。
【００５３】
端末Ｆ１１１では、電波を定期的にモニタしており、モニタ中にアンテナ３０８によって受信した信号が無線部３０７で復調され、自アドレスと一致したアドレスを含む信号を受信すると、ＣＰＵ３０１に対して接続要求を通知する。ＣＰＵ３０１は接続要求を判断し、接続許諾を無線部３０７に通知する。無線部３０１は接続要求許諾通知をサーバＫ１０４に対して発行し、該通知の変調後に、該変調された通知をアンテナ３０８を経由して空間に送信する。
【００５４】
サーバＫ１０４の無線部２１０は、アンテナ２１１を経由して端末Ｆ１１１からの接続要求許諾通知を受信すると、接続完了をＣＰＵ２０１に通知し、接続処理は終了する。図６に示す表示画面において接続ボタンを押下し、接続が完了すると、サーバＫ１０４のＣＰＵ２０１は、選択した端末Ｆ１１１を許可リストに移動する（ステップＳ９０５）。次いで、ＣＰＵ２０１は新規端末リスト中にある端末を不許可リストに移動し、デバイスリスト情報格納用メモリ２０９に保存する（ステップＳ９０６）ことで、追加デバイスに対する処理は終了する。
【００５５】
次に、会議開始後に追加デバイスの接続を行う例として、圏外にいた端末Ｈ１１４が会議途中から参加する場合を説明する。
【００５６】
具体的には、会議室１０１の会議開始後、会議室１０３にいた端末Ｈ１１４が部屋を移動して会議室１０１の会議に参加する場合の例を説明する。離れた会議室内のデバイスはデバイス検出されていないため、許可リストと不許可リストともに保存されていない。このため、新規デバイスを追加する際にサーバＫ１０４に実行される処理手順を示す図８を使用して説明する。
【００５７】
会議室１０１の管理者は、会議中に端末Ｈ１１４の所持者が会議室１０１に移動してきたため、上述した周辺デバイス探索（ステップＳ８０１）、デバイスリスト取得（ステップＳ８０２）、及びデバイスリスト表示（ステップＳ８０３）の処理を行う。ここまでの処理が実行されると、図７に示すように、新規デバイスタブに端末Ｇ１１３が表示される。端末Ｇ１１３を選択し接続ボタンを押下すると（ステップＳ８０４とステップＳ８０５の連動処理）、サーバ１０４の接続処理が完了する。端末Ｈ１１４がサーバＫ１０４への接続を完了すると、端末Ｈ１１４は許可リストに接続状態で移動し、その他の新規デバイスは不許可リストへ移動する（ステップＳ８０６）。サーバＫ１０４は、許可と不許可の端末のデバイスリストをデバイスリスト情報格納用メモリ２０９に保存して（ステップＳ８０７）、本処理を終了する。
【００５８】
次いで、会議中の途中退席についての扱いについて図１１及び図１２を参照しつつ説明する。
【００５９】
図１１は、許可端末の現在の接続状態を示している図である。同図において、端末Ｂ１０６と端末Ｃ１０７の所有者が退席するため、２端末を選択し、切断ボタンを押下する。その後、デバイス検索を行った結果を示すのが図１２である。ここでは、端末Ｂ１０６と端末Ｃ１０７はサーバＫ１０４に対する接続許可が依然維持されているが、共に接続はされていないため、接続の項目はｎｏと表示される。また、端末Ｃ１０７は会議室１０１から離れたところに移動したため、サーバＫ１０４の圏外となり、圏内表示はｎｏと表示されている。
【００６０】
このように、会議中に離席した場合でも、サーバへの接続許可・不許可リストは維持したまま簡単な操作でデバイス状態の更新が可能である。
【００６１】
上述したように、本実施の形態によれば、サーバＫ１０４のＣＰＵ２０１が、デバイスリストに基づいて、サーバＫ１０４への接続が許可されている端末と接続が許可されていない端末とを判別し、さらに、サーバＫ１０４のＣＰＵ２０１で検出された端末であって、デバイスリストに予め登録されていない端末を判別し、この判別結果に基づいて、表示部２０６がサーバＫ１０４への接続が許可されている端末と、サーバＫ１０４への接続が許可されていない端末と、サーバＫ１０４への接続が許可および不許可ともに設定されていない端末（デバイスリストに予め登録されていない端末であって、新たに接続する端末）とをそれぞれ区別して表示するので、以前に行った周辺デバイス探索及び接続許可状態を利用することができ、会議に途中参加する端末及び途中退席する端末の選択が容易になるという効果がある。
【００６２】
本発明は、上述した実施の形態の機能を実現するソフトウェアのプログラムをコンピュータ又は制御部（具体的にはＣＰＵ）に供給し、そのコンピュータ又はＣＰＵが該供給されたプログラムを読出して実行することによっても本発明の目的が達成されることは云うまでもない。
【００６３】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００６４】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６５】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００６６】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００６７】
本発明の実施態様の例を以下に列挙する。
【００６８】
〔実施態様１〕  無線デバイスと無線信号を介して接続するデバイス検出装置において、前記デバイス検出装置の周辺に点在する前記無線デバイスを検出する検出手段と、前記検出手段により検出された無線デバイスに関するデバイス情報を取得するデバイス情報取得手段と、前記デバイス情報取得手段により取得されたデバイス情報と共に、該デバイス情報を有する無線デバイスが前記デバイス検出装置への接続が許可されているか否か示すリスト情報を保存する保存手段と、前記リスト情報に基づいて、前記デバイス検出装置への接続が許可されている無線デバイスと前記デバイス検出装置への接続が許可されていない無線デバイスとを判別し、さらに、前記検出手段で検出された無線デバイスであって、前記リスト情報に予め登録されていない無線デバイスを前記デバイス検出装置への接続が許可および不許可ともに設定されていない無線デバイスであると判別する判別手段と、前記判別手段による判別結果に基づいて、前記デバイス検出装置への接続が許可されている無線デバイスと、前記デバイス検出装置への接続が許可されていない無線デバイスと、前記デバイス検出装置への接続が許可および不許可ともに設定されていない無線デバイスとをそれぞれ区別して表示する表示手段とを備えることを特徴とするデバイス検出装置。
【００６９】
〔実施態様２〕  前記表示手段は、前記デバイス検出装置への接続が許可されている無線デバイスであって、実際に前記デバイス検出装置に接続されている無線デバイスと接続されていない無線デバイスとをそれぞれ区別して表示することを特徴とする実施態様１記載のデバイス検出装置。
【００７０】
これにより、会議に途中参加する端末及び途中退席する端末の選択がより容易になるという効果がある。
【００７１】
〔実施態様３〕  前記表示手段は、前記デバイス検出装置への接続が許可されている無線デバイスであって、前記検出手段により現在検出可能な無線デバイスと以前検出可能であった無線デバイスとをそれぞれ区別して表示することを特徴とする実施態様１又は２記載のデバイス検出装置。
【００７２】
〔実施態様４〕  前記表示手段は、前記デバイス検出装置への接続が許可されていない無線デバイスであって、前記検出手段により現在検出可能な無線デバイスと以前検出可能であった無線デバイスとをそれぞれ区別して表示することを特徴とする実施態様１乃至３のいずれか１項記載のデバイス検出装置。
【００７３】
〔実施態様５〕  前記保存手段に保存されたリスト情報を更新する更新手段（２０１，２０９）を備え、前記更新手段は、前記デバイス検出装置への接続が許可されている無線デバイスの中から選択された無線デバイスを前記デバイス検出装置への接続が許可されていない無線デバイスとして前記リスト情報を更新し、前記表示手段は、前記デバイス検出装置への接続が許可されている無線デバイスの中から選択された無線デバイスを前記デバイス検出装置への接続が許可されていない無線デバイスとして表示することを特徴とする実施態様１乃至４のいずれか１項記載のデバイス検出装置。
【００７４】
〔実施態様６〕  前記更新手段は、前記デバイス検出装置への接続が許可されていない無線デバイスの中から選択された無線デバイスを前記デバイス検出装置への接続が許可されている無線デバイスとして前記リスト情報を更新し、前記表示手段は、前記デバイス検出装置への接続が許可されていない無線デバイスの中から選択された無線デバイスを前記デバイス検出装置への接続が許可されている無線デバイスとして表示することを特徴とする実施態様５記載のデバイス検出装置。
【００７５】
〔実施態様７〕  無線デバイスと無線信号を介して接続するコンピュータが実行可能なデバイス検出用プログラムであって、前記デバイス検出装置の周辺に点在する前記無線デバイスを検出する検出ステップと、前記検出ステップにより検出された無線デバイスに関するデバイス情報を取得するデバイス情報取得ステップと、前記デバイス情報取得ステップにより取得されたデバイス情報と共に、該デバイス情報を有する無線デバイスが前記コンピュータへの接続が許可されているか否か示すリスト情報を保存する保存ステップと、前記リスト情報に基づいて、前記コンピュータへの接続が許可されている無線デバイスと前記コンピュータへの接続が許可されていない無線デバイスとを判別し、さらに、前記検出ステップで検出された無線デバイスであって、前記リスト情報に予め登録されていない無線デバイスを前記コンピュータへの接続が許可および不許可ともに設定されていない無線デバイスであると判別する判別ステップと、前記判別ステップによる判別結果に基づいて、前記コンピュータへの接続が許可されている無線デバイスと、前記コンピュータへの接続が許可されていない無線デバイスと、前記コンピュータへの接続が許可および不許可ともに設定されていない無線デバイスとをそれぞれ区別して表示する表示ステップとを前記コンピュータに実行させることを特徴とするデバイス検出用プログラム。
【００７６】
〔実施態様８〕  前記実施態様７に記載のデバイス検出用プログラムを格納することを特徴とするコンピュータで読み取り可能な記憶媒体。
【００７７】
【発明の効果】
以上説明したように、本発明に係るデバイス検出装置によれば、以前に行った周辺デバイス探索及び接続許可状態を利用することができ、会議に途中参加するデバイス及び途中退席するデバイスの選択が容易になるという効果がある。
【図面の簡単な説明】
【図１】本発明の実施の形態に係るデバイス検出装置を備えるシステムの概略構成図である。
【図２】図１におけるサーバＫ１０４のハードウェア構成を概略的に示す図である。
【図３】図１における端末Ａ１０５のハードウェア構成を概略的に示す図である。
【図４】サーバＫ１０４の表示部２０６に表示されるデバイス探索結果の表示画面の一例を示す図であり、特に表示部２０６に表示される新規デバイス検索結果を示す図である。
【図５】サーバＫ１０４の表示部２０６に表示されるデバイス探索結果の表示画面の一例を示す図であり、特に表示部２０６に表示される許可デバイス検索結果を示す図である。
【図６】サーバＫ１０４の表示部２０６に表示されるデバイス探索結果の表示画面の一例を示す図であり、特に表示部２０６に表示される不許可デバイス検索結果を示す図である。
【図７】サーバＫ１０４の表示部２０６に表示されるデバイス探索結果の表示画面の一例を示す図であり、特に表示部２０６に表示される周辺新規デバイス再検索結果を示す図である。
【図８】会議開始時に新規デバイスをサーバＫ１０４に接続する際のサーバＫ１０４における処理手順を示すフローチャートである。
【図９】会議開始後に追加デバイスをサーバＫ１０４に接続する際のサーバＫ１０４における処理手順を示すフローチャートである。
【図１０】会議開始後に追加デバイスをサーバＫ１０４に接続する際のサーバＫ１０４における処理手順を示すフローチャートである。
【図１１】サーバＫ１０４における許可端末の現在の接続状態を示している図である。
【図１２】サーバＫ１０４における許可端末の接続の切断後の検索結果を示す図である。
【符号の説明】
１０１，１０２，１０３  会議室
１０４，１０８，１１２  サーバ
１０５，１０６，１０７，１０９，１１０，１１１，１１３，１１４  端末
２０２  ＲＯＭ
２０３  ＲＡＭ
２０４  ファイルサーバ
２０５  ＰＣカードスロット
２０６  表示部
２０７  入力部
２０８  印刷部
２０９  デバイスリスト情報格納用メモリ
２１０  無線部
【図１】
2004297519.tif 000003
【図２】
2004297519.tif 000004
【図３】
2004297519.tif 000005
【図４】
2004297519.tif 000006
【図５】
2004297519.tif 000007
【図６】
2004297519.tif 000008
【図７】
2004297519.tif 000009
【図８】
2004297519.tif 000010
【図９】
2004297519.tif 000011
【図１０】
2004297519.tif 000012
【図１１】
2004297519.tif 000013
【図１２】
2004297519.tif 000014